(57)【要約】      （修正有）【課題】分離結合が容易で、ストラップ支持力を向上させ、開口部の破損を防止するストラップガイドとペールバックを提供する。【解決手段】第１ベースと、上記第１ベースに形成されてストラップが通過する第１スロット５０ａを含むストラップボス１２０と、上記ストラップボスの外周部に位置し、口径を含む少なくとも一つ以上の突起収容部１３０と、を含む第１モジュール１００、及び、第２ベースと、上記第２ベースに形成される第２スロット５０ｂと、上記第２スロットの外周部に位置し、上記突起収容部とペアを成すように形成される一つ以上の結合突起とを有する第２モジュール２００を含み、上記第１モジュールが上記第２モジュールと結合することにより単一閉曲面を有する開口部が形成されるストラップガイド。【選択図】図５
2019150878.tif 000002
【特許請求の範囲】
【請求項１】
第１ベースと、前記第１ベースに形成されてストラップが通過する第１スロットを含むストラップボスと、前記ストラップボスの外周部に位置し、口径を含む少なくとも一つ以上の突起収容部と、を含む第１モジュール、及び
第２ベースと、前記第２ベースに形成される第２スロットと、前記第２スロットの外周部に位置し、前記突起収容部とペアを成すように形成される一つ以上の結合突起と、を有する第２モジュールを含み、
前記第１モジュールが前記第２モジュールと結合することにより単一閉曲面を有する開口部が形成されるストラップガイド。
【請求項２】
前記開口部の縁は、緩やかなラウンド形態であることを特徴とする請求項１記載のストラップガイド。
【請求項３】
前記第２ベースは、前記第２ベースの一側に傾斜角を有し、外側に傾いた切曲部を含むことを特徴とする請求項１記載のストラップガイド。
【請求項４】
前記結合突起の直径は、前記口径の直径に対する量の公差で形成されることを特徴とする請求項１記載のストラップガイド。
【請求項５】
前記ストラップボスは、両側部が緩慢な曲線形態を有する曲線部と前記曲線部を繋ぐ方向に形成される直線部を含むことを特徴とする請求項１記載のストラップガイド。
【請求項６】
請求項１乃至５のいずれか一項に記載のストラップガイドを収容する２つ以上の収容空間部を含むペールパックにおいて、
前記収容空間部は、前記ストラップボスが挟み合わされる中間空間部と前記突起収容部とが挟み合わされる上部空間部及び下部空間部を含み、前記収容空間部に前記ストラップガイドが挟み合わされるペールパック。
【請求項７】
前記ストラップボスの幅は、ペールパック紙管の厚さ以上であることを特徴とする請求項６記載のペールパック。
【請求項８】
前記第１モジュールは、内部紙管と外部紙管とを有するペールパックの前記内部紙管と前記外部紙管との間に配置され、前記第２モジュールは、前記外部紙管の外側から前記外部紙管に形成される前記収容空間部を通過することにより前記第１モジュールに結合することを特徴とする請求項６記載のペールパック。
【発明の詳細な説明】
【技術分野】
【０００１】
本発明は、ストラップガイド及びこれを有するペールパックに関し、更に詳しくは、モジュール結合型からなっており、ペールパックに対して分離結合が容易で、ストラップ支持力を向上させ、ペールパック開口の破損を防止するストラップガイド及びこれを有するペールパックに関する。
【背景技術】
【０００２】
ペールパック（ＰＡＩＬ  ＰＡＣＫ）とは、溶接用ワイヤーを螺旋状に重ねて収納する容器であり、その重さは収容されるワイヤーを含み、通常１００〜５００ｋｇに達する。横断面は、円形または多角形の形状であり、移動の際、側面に掛け部を形成してリフト移動させる方式と、下段にパレット（ＰＡＬＬＥＴ）を装着してフォークリフトに移動させる方式がある。
【０００３】
最近の技術トレンドによると、寿命に達したペールパックの後処理を容易にする方法についての研究が活発に行われており、これにペールパックの主材質を紙に構成する方式が多く使用されている。ペールパックの主材質を紙に構成すると、ペールパックの重さが軽くなって移動及び保管が容易で、使用後簡単に再活用が可能であるために環境にやさしいという利点がある。但し、紙材質の限界による強度問題、耐吸収性問題などの諸般の問題点を有している。
【０００４】
ペールパックの移動を容易にするためにペールパックの側部には、開口を形成することができるが、紙材質のペールパックの場合、ストラップを用いてペールパックを持ち上げたり、移動させたりするなど繰り返し作業をする際、ペールパックの開口部が摩耗及び破損しやすい。これを防止するため、開口部に繊維補強テープなどを貼り付ける方法があるが、手作業で行わなければならないし、時間が長くかかるという問題点がある。
【先行技術文献】
【特許文献】
【０００５】
【特許文献１】韓国特開第１０−０８５３５２７号公報
【発明の概要】
【発明が解決しようとする課題】
【０００６】
本発明は前述の従来技術の問題点を解決するためのものであって、本発明の目的はモジュール結合型からなっており、ペールパックに対して分離結合が容易で、ストラップ支持力を向上させ、ペールパック開口部の破損を防止するストラップガイド及びこれを有するペールパックを提供するものである。
【課題を解決するための手段】
【０００７】
上記のような目的を達成するため、本発明の一側面は、第１ベースと、上記第１ベースに形成されてストラップが通過する第１スロットを含むストラップボスと、上記ストラップボスの外周部に位置し、口径を含む少なくとも一つ以上の突起収容部と、を含む第１モジュール、及び、第２ベースと、上記第２ベースに形成される第２スロットと、上記第２スロットの外周部に位置し、上記突起収容部とペアを成すように形成される一つ以上の結合突起と、を有する第２モジュールを含み、上記第１モジュールが上記第２モジュールと結合することにより単一閉曲面を有する開口部が形成されるストラップガイドを提供する。
【０００８】
一実施例において、上記開口部の縁は、緩やかなラウンド形態であることを特徴とするストラップガイドである。
【０００９】
一実施例において、上記第２ベースは、上記第２ベースの一側に傾斜角を有し、外側へ傾いた切曲部を含むことを特徴とするストラップガイドである。
【００１０】
一実施例において、上記結合突起の直径は、上記口径の直径に対して量の公差で形成されることを特徴とするストラップガイドである。
【００１１】
一実施例において、上記ストラップボスは、両側部が緩慢な曲線形態を有する曲線部と上記曲線部を結ぶ方向に形成される直線部を含むことを特徴とするストラップガイドである。
【００１２】
一実施例において、上記ストラップガイドを収容する２つ以上の収容空間部を含むペールパックにおいて、上記収容空間部は、上記ストラップボスが挟み合わされる中間空間部と上記突起収容部が挟み合わされる上部空間部及び下部空間部を含み、上記収容空間部に上記ストラップガイドが挟み合わされるペールパックである。
【００１３】
一実施例において、上記ストラップボスの幅は、ペールパック紙管の厚さ以上であることを特徴とするペールパックである。
【００１４】
一実施例において、上記第１モジュールは、内部紙管と外部紙管を有するペールパックの内部紙管と外部紙管の間に配置され、上記第２モジュールは、外部紙管外側から外部紙管に形成される上記収容空間部を通過することにより第１モジュールに結合することを特徴とするペールパックである。
【発明の効果】
【００１５】
本発明の一側面によると、ペールパックに第１モジュールと第２モジュールとが結合して単一閉曲面を有するストラップガイドの開口部を形成することにより、ペールパックの開口と紙管を外部作用から安全に保護することができる。
【００１６】
そして、ストラップガイドの開口部を緩やかにラウンド処理することにより、ストラップがより堅固で安全に支持することができる。
【００１７】
また、傾斜角を有し、外側へ傾いた切曲部を含む第２モジュールにより結合された状態のストラップガイドを手で簡単に分離することができる。
【００１８】
そして、ストラップガイドが挟み合わされることができる収容空間部を有するペールパックは、持ち上げたり、移動したりするとき、ストラップガイドが回転しないで、揺れることなく結着することが出来て安定的である。
【００１９】
本発明の効果は、上記の効果により限定されるものではなく、本発明の詳細な説明または特許請求の範囲に記載の発明の構成から推論可能な全ての効果を含むものと理解するべきである。
【図面の簡単な説明】
【００２０】
【図１】図１は、本発明の一実施例による第１モジュールの斜視図である。
【図２】図２は、本発明の一実施例による第２モジュールの斜視図である。
【図３】図３の（ａ）及び（ｂ）は、本発明の第１モジュールの正面図及び側面図をそれぞれ示す。
【図４】図４の（ａ）及び（ｂ）は、本発明の第２モジュールの正面図及び側面図をそれぞれ示す。
【図５】図５の（ａ）及び（ｂ）は、本発明の一実施例による第１モジュールと第２モジュールの結合前の斜視図及び結合後の斜視図をそれぞれ示す。
【図６】図６は、本発明の一実施例によるペールパックに結合されたストラップガイドの切開図及び開口部の縁の部分拡大図である。
【図７】図７は、本発明の一実施例によるストラップガイドを分離する時の使用状態図である。
【図８】図８の（ａ）及び（ｂ）は、本発明の一実施例によるペールパックの収容空間部の斜視図とストラップガイドが結合された収容空間部の斜視図である。
【図９】図９は、一実施例によるペールパックの収容空間部の正面図である。
【発明を実施するための形態】
【００２１】
以下では添付した図面を参照して本発明を説明する。しかしながら、本発明は種々の異なる形態で具現することができ、従って、ここで説明する実施例に限定されるものではない。そして図面で本発明を明らかに説明するために説明と関係ない部分は省略し、明細書全体を通じて類似した部分については、類似した図面符号を付けた。
【００２２】
明細書全体で、ある部分が他の部分と”連結”されているとする際、これは“直接的に連結”されている場合だけではなく、その中間に他の部材を間におく“間接的に連結”されている場合も含む。また、ある部分がある構成要素を“含む”とする際、これは特に反対する記載がない限り、他の構成要素を除外するものではなく、他の構成要素を更に備えることができるということを意味する。
【００２３】
以下の添付の図面を参考にして、本発明の実施例を詳細に説明する。
【００２４】
本発明のストラップガイド３００は、第１モジュール１００と第２モジュール２００がペールパック５００の収容空間部５１０を介して結合または分離される方式で用いられる。
【００２５】
図１は、本発明の一実施例による第１モジュール１００の斜視図であり、図３の（ａ）及び（ｂ）は、本発明の一実施例による第１モジュール１００の正面図及び側面図である。
【００２６】
図１及び図３を参照すると、第１モジュール１００は、第１ベース１１０、ストラップボス１２０、第１スロット５０ａ、及び一つ以上の突起収容部１３０を含む。第１ベース１１０は、薄い板状であり、その形状は円形または多角形または、それ以外の形状である。
【００２７】
ストラップボス１２０は、第１ベース１１０の中央部に一定の幅をもって形成することができ、ストラップボス１２０の内周面に囲まれた第１スロット５０ａを含む。ストラップ（Ｓ）は、第１スロット５０ａを介してペールパック５００外部に出ることができる。
【００２８】
一実施例によると、ストラップボス１２０は、両側部が緩慢な曲線形態を有する曲線部１２１、曲線部１２１を結ぶ方向に形成される直線部１２２を含むことができる。
【００２９】
突起収容部１３０は、ストラップボス１２０の幅方向に形成することができ、ストラップボス１２０の外側にストラップボス１２０から一定の間隔に離隔して位置することができる。突起収容部１３０は、第２モジュール２００の結合突起２３０を収容する口径１３１を含んでおり、その形状は、結合突起の形状により  多様に形成されることができる。好ましくは結合及び分離が容易であるように円筒形形状である。突起収容部１３０の個数は一つ以上である。
【００３０】
一実施例によれば、突起収容部１３０は、中央部に位置するストラップボス１２０の上下側にそれぞれ一定の間隔に離れたままで２つずつ形成されることができる。
【００３１】
図２は、本発明の一実施例による第２モジュール２００の斜視図であり、図４の（ａ）及び（ｂ）は、本発明の一実施例による第２モジュール２００の正面図及び側面図である。図７は、ストラップガイド３００を分離する時の使用状態図である。
【００３２】
図２及び図４を参照すると、第２モジュール２００は、第２ベース２１０、第２スロット５０ｂ及び一つ以上の結合突起２３０を含む。第２ベース２１０は、薄い板状であり、その形状は、円形または多角形またはそれ以外の形状である。好ましくは第２ベース２１０の形状は第１ベース１１０の形状と対応する形状である。
【００３３】
一実施例によれば、第２ベース２１０はベースの一側に傾斜角を有し、外側へ傾いた切曲部２１１とベース中央部にストラップ（Ｓ）が通過することができるようにする第２スロット５０ｂを含む。
【００３４】
図７を参照すると、切曲部２１１は結合された状態のストラップガイド３００が簡単に分離できるようにする取っ手の役割をすることができる。そして、切曲部２１１は、第２ベース２１０の特定の位置に限定されずに、第２ベース２１０の一側に形成されることができる。但し、好ましくはストラップガイド３００がペールパック５００から簡単に分離できるように第２ベース２１０の下部に形成されることができる。切曲部２１１の傾いた角度は、結合されたストラップガイド３００の分離のために指が第１モジュール１００と第２モジュール２００との間に入りやすい一方、分離のための力がよく伝達できるようにする程度がよく、好ましくは１０°乃至２０°である。
【００３５】
結合突起２３０は、第２スロット５０ｂの外周部に第２スロットから一定の間隔に離隔して位置することができ、結合の時、第１モジュール１００の突起収容部１３０とペアを成す。結合突起２３０の個数は１個以上であり、好ましくは突起収容部１３０の個数と対応して決定することができる。
【００３６】
一実施例によれば、結合突起２３０は、中央部に位置する第２スロット５０ｂの上下側にそれぞれ一定の間隔に離れたままで２つずつ形成されることができる。結合突起２３０の形状は、突起収容部１３０の口径１３１の形状と対応する形状に形成されることができる。好ましくは結合及び分離が容易な円筒形の形状であり、円筒の角部は緩やかなラウンド形態である。
【００３７】
図５の（ａ）及び（ｂ）は、本発明の一実施例による第１モジュール１００と第２モジュール２００の結合前の斜視図と結合後の斜視図である。図６は、本発明の一実施例によるペールパック５００に結合されたストラップガイド３００の切開図及び開口部の縁５１の部分拡大図である。
【００３８】
図５の（ａ）、（ｂ）及び図６を参照すると、第１モジュール１００の突起収容部１３０と対応する位置にある第２モジュール２００の結合突起２３０が結合し、丈夫な結合のために結合突起２３０の直径は、口径１３１の直径に対して量の公差で形成することができる。また、口径１３１と結合突起２３０は、挟み合わせながら結合でき、その形状は、互いに対応する形状である。
【００３９】
次いで、図５の（ａ）、（ｂ）及び図６を参照すると、第１モジュール１００と第２モジュール２００が結合することにより、第１ベース１１０の外側面、ストラップボス１２０の内周面、第２ベース２１０の外側面が連結され、単一閉曲面を有する開口部５０を形成することができる。
【００４０】
ストラップ（Ｓ）を用いてペールパック５００を移動して保管するなど、繰り返し取り扱いするとペールパック５００の紙管は、外部作用から脆弱する可能性があるが、単一閉曲面を有する開口部５０が形成されると、幾つかの外部作用を遮断することができてペールパック５００の耐久性を向上することができる。
【００４１】
また、開口部５０を介してストラップ（Ｓ）が通過され、ストラップ（Ｓ）は、開口部５０の縁５１を介して支持することができる。
【００４２】
一実施例において、ストラップ（Ｓ）と相接する開口部５０の縁５１は、ストラップ（Ｓ）の支持力を向上させるために緩やかなラウンド形態である。この場合、ストラップ（Ｓ）と開口部５０の縁５１の接触面積が広くなってより丈夫で安全にストラップ（Ｓ）を支持することができる。
【００４３】
図８の（ａ）及び（ｂ）は、本発明の一実施例によるペールパック５００の収容空間部５１０の斜視図及びストラップガイド３００が結合された収容空間部５１０の斜視図であり、図９は、一実施例によるペールパック５００の収容空間部５１０の正面図である。
【００４４】
図８の（ａ）、（ｂ）及び図９を参照すると、ペールパック５００は、２つ以上のストラップガイド３００を収容する２つ以上の収容空間部５１０を含むことができる。
【００４５】
一実施例において、収容空間部５１０は、ストラップボス１２０が挟み合わされる中間空間部５２０と突起収容部１３０が挟み合わされる上部空間部５４０及び下部空間部５３０を含んでおり、ストラップガイド３００は、このような収容空間部５１０に挟み合わせることができる。中間空間部５２０は、ストラップボス１２０の形状により形成することができ、上部空間部５４０及び下部空間部５３０は、突起収容部１３０の形状により形成することができる。このように、ストラップガイド３００が収容空間部５１０に挟み合わせる形式に結合されると、ストラップガイド３００とペールパック５００が揺れることなく結着し、結合したまま回転しないので安定的である。上部空間部５４０及び下部空間部５３０の突起収容部１３０が挟み合わされる形状は、突起収容部１３０の個数によって変更することができる。
【００４６】
図６及び図８を参照すると、一実施例において、ストラップボス１２０の幅は、紙製紙管を有するペールパック５００の紙管保護のためペールパック５００紙管の厚さ以上にすることができる。この場合、ペールパック５００紙管は、第１モジュール１００と第２モジュール２００がしっかりと結合された状態でストラップボス１２０の幅を超えることなく、その間に位置するようになって外部影響から保護することが出来て耐久性を増進することができる。
【００４７】
一実施例において、ペールパック５００は、強度増進のために内部紙管５５０と外部紙管５６０とを有する二重構造で形成することができる。この場合、ペールパック５００は、第１モジュール１００がペールパック５００の内部紙管５５０と外部紙管５６０との間に配置され、第２モジュール２００は、ペールパック５００の外部紙管５６０の外側から外部紙管に形成される上記収容空間部を通過することにより、第１モジュール１００に結合するペールパック５００である。
【００４８】
また、ストラップ（Ｓ）は、ストラップガイド３００の開口部５０を介してペールパック５００内部に入ってきて、内部紙管５５０と外部紙管５６０との間の空間を介して底部を過ぎ、ペールパック５００の他の収容空間部５１０に結合されたストラップガイド３００の開口部５０を介して外部に出るようになる。
【００４９】
これにより、ペールパック５００の開口と紙管を安定的に保護しながら、ストラップ（Ｓ）を用いてペールパック５００を効率的に持ち上げて、移動させるなどの取り扱いをすることができる。
【００５０】
前述の本発明の説明は例示のためのものであり、本発明が属する技術分野の通常の知識を有する者は、本発明の技術的思想や必須的な特徴を変更せずに、他の具体的な形態で簡単に変形が可能であることを理解できる。そのため、以上で記した実施例は、すべての面で例示的なものであり、限定的なものではないと理解しなければならない。例えば、単一型に説明している各構成要素は、分散して実施することができ、同様に分散されたもので説明している構成要素も結合した形態で実施することができる。
【００５１】
本発明の範囲は後述する特許請求の範囲により表され、特許請求の範囲の意味及び範囲、そして、その均等概念から導出される全ての変更または変形した形態が本発明の範囲に含まれるものと解釈されるべきである。
【符号の説明】
【００５２】
５０      開口部、
５０ａ    第１スロット、
５０ｂ    第２スロット、
５１      開口部縁、
１００    第１モジュール、
１１０    第１ベース、
１２０    ストラップボス、
１２１    曲線部、
１２２    直線部、
１３０    突起収容部、
１３１    口径、
２００    第２モジュール、
２１０    第２ベース、
２１１    切曲部、
２３０    結合突起、
３００    ストラップガイド、
５００    ペールパック、
５１０    収容空間部、
５２０    中間空間部、
５３０    下部空間部、
５４０    上部空間部、
５５０    ペールパック内部紙管、
５６０    ペールパック外部紙管。
【図１】
2019150878.tif 000003
【図２】
2019150878.tif 000004
【図３】
2019150878.tif 000005
【図４】
2019150878.tif 000006
【図５】
2019150878.tif 000007
【図６】
2019150878.tif 000008
【図７】
2019150878.tif 000009
【図８】
2019150878.tif 000010
【図９】
2019150878.tif 000011